(57)【特許請求の範囲】
【請求項１】
家具品（３）の蓋（２）用の駆動装置であって、前記蓋（２）を移動させるためにバネ装置（４）によって作用されるまたは作用されうる少なくとも１つの作動腕（６）と、前記蓋（２）の押し出し装置（５）であって、これにより前記蓋（２）が、第１開放角度範囲（Ｍ１）に渡って、閉鎖位置から開放位置の方向に可動である押し出し装置とを有する駆動装置において、
前記バネ装置（４）は、前記第１開放角度範囲（Ｍ１）においては、前記蓋（２）に対
して実質的に力をかけず、
前記バネ装置（４）は、前記蓋（２）を第２開放角度範囲（Ｍ２）においてのみ初めて
開放方向に移動させ、
前記第２開放角度範囲（Ｍ２）は、前記第１開放角度範囲（Ｍ１）に隣接するか、また
はせいぜい若干これと重複していることを特徴とする駆動装置。
【請求項２】
前記第２開放角度範囲（Ｍ２）に隣接して、第３開放角度範囲（Ｍ３）があり、この中
で、前記バネ装置（４）が前記蓋（２）を、実質的に均衡を取って保持することを特徴と
する請求項１に記載の駆動装置。
【請求項３】
前記第１開放角度範囲（Ｍ１）は、前記蓋（２）の完全に閉鎖した位置から出発して、
０°〜１０°の間で伸張していることを特徴とする請求項１または２に記載の駆動装置。
【請求項４】
前記第２開放角度範囲（Ｍ２）は、前記蓋（２）の開放位置で、３０°まで有効であることを特徴とする請求項１〜３のいずれか１項に記載の駆動装置。
【請求項５】
回転軸（Ｌ）の回りで取り付けられ、かつ、上に設定輪郭（１３ａ）が形成または配置
されている制御カム（１３）が、前記バネ装置（４）と前記作動腕（６）との間で作動し
、ここで、前記作動腕（６）が旋回移動する間に、押圧ローラー（１４）が設定輪郭（１
３ａ）に接して走行することを特徴とする請求項１〜４のいずれか１項に記載の駆動装置
。
【請求項６】
前記蓋（２）が前記第１開放角度範囲（Ｍ１）にある際に、前記押圧ローラー（１４）
と係合する前記設定輪郭（１３ａ）の湾曲部分は、前記制御カム（１３）の前記回転軸（
Ｌ）に対して、相対的に少なくともほぼ同じ放射状の距離を有することを特徴とする請求
項５に記載の駆動装置。
【請求項７】
前記バネ装置（４）および前記押し出し装置（５）は、共通の構造ユニット中に配置さ
れていることを特徴とする請求項１〜６のいずれか１項に記載の駆動装置。
【請求項８】
前記バネ装置（４）および前記押し出し装置（５）は、互いに分かれた構造ユニット中
に配置されていることを特徴とする請求項１〜６のいずれか１項に記載の駆動装置。
【請求項９】
前記押し出し装置（５）は、前記蓋（２）に作用することを特徴とする請求項１〜６の
いずれか１項に記載の駆動装置。
【請求項１０】
前記押し出し装置（５）は、前記作動腕（６）に作用することを特徴とする請求項１〜
８のいずれか１項に記載の駆動装置。
【請求項１１】
前記押し出し装置（５）は、少なくとも１つのロック可能な力貯蔵手段を有し、これにより、押し出し部材（５ａ）が、前記蓋（２）の押し出しのためにおよび／または前記作動腕（６）の押し出しのために、作用されうることを特徴とする請求項１〜１０のいずれか１項に記載の駆動装置。
【請求項１２】
前記蓋（２）は、閉鎖保持装置（９）により前記閉鎖位置に保持されることを特徴とす
る請求項１〜１１のいずれか１項に記載の駆動装置。
【請求項１３】
前記閉鎖保持装置（９）は、少なくとも２つの部分（９ａ、９ｂ）を有し、ここで第１
部分（９ａ）は前記家具体（１）上に配置されていてまたは配置されることができ、第２
部分（９ｂ）は、前記蓋（２）上に配置されていてまたは配置されていることができ、こ
こで、前記２つの部分（９ａ、９ｂ）は、前記蓋（２）の前記閉鎖状態においては、互い
に対して磁力をかけることを特徴とする請求項１２に記載の駆動装置。
【請求項１４】
前記駆動装置は、１つのバネ装置（４）を有することを特徴とする請求項１〜１３のいずれか１項に記載の駆動装置。
【請求項１５】
請求項１〜１４のいずれか１項に記載の駆動装置を有する家具品。
【発明の詳細な説明】
【技術分野】
【０００１】
本発明は、家具品の蓋用の駆動装置に関する。具体的には、蓋を移動させるためにバネ装置によって作用されるまたは作用されうる少なくとも１つの作動腕と、押し出し装置であって、これにより蓋が、第１開放角度範囲に渡って、閉鎖位置から開放位置の方向に可動である押し出し装置とを有する駆動装置に関する。
【０００２】
本発明は、さらに、説明する種類の駆動装置を有する家具品に関する。
【背景技術】
【０００３】
この種の駆動装置は、例えば、本発明者の特許文献１より公知である。この文献では、閉鎖端位置から蓋を押し出すためにタッチラッチ機能を有する押し出し装置が提供されている。蓋の重量の補償を行うさらなるバネ装置も存在する。しかし、このバネ装置は、閉鎖された蓋を保持するために比較的大きな力を蓋にかけていて、これにより、蓋は、死点位置を超えて移動した後、閉鎖移動の終端に向かって、完全に閉鎖した位置に押され、与えられた閉鎖力によってこの終端位置に保持される。この従来技術の欠点は、蓋が完全に閉鎖した位置にある際には、押し出し装置がバネ装置の力を克服せねばならず、また、比較的大きなサイズの押し出し装置が必要とされる点である。
【先行技術文献】
【特許文献】
【０００４】
【特許文献１】独国実用新案出願公開第２０２００６０００５３５Ｕ１号明細書
【発明の概要】
【発明が解決しようとする課題】
【０００５】
したがって、本発明の目的は、本明細書の冒頭部で述べた一般的な種類の駆動装置であって、上述の欠点を回避した駆動装置を提供することである。
【課題を解決するための手段】
【０００６】
達成された本発明による有利な構成では、バネ装置は、第１開放角度範囲においては、蓋に対して実質的に力をかけず、バネ装置は、蓋を第２開放角度範囲においてのみ初めて開放方向に移動させ、ここで、第２開放角度範囲は、第１開放角度範囲に隣接するか、またはせいぜい若干これと重複している。
【０００７】
換言すれば、閉鎖位置においてはバネ装置が蓋に対して実質的に力をかけず、したがって、押し出し装置は、蓋を押し出すために、（蓋が達成すべき角速度を考慮して）実質的に蓋の慣性モーメントのみを克服せねばならないように、押し出し装置とバネ装置とは互いに調整されている。この蓋はしたがって閉鎖端位置からとりわけ容易に動かすことができる。
【０００８】
このようにして、押し出し装置の力を比較的低くすることができ、したがって、空間を節約して、安価な実装が可能となる。押し出し装置の押し出し工程運動の終端に向かってのみ、好ましくは、押し出し工程移動に連続してのみ、バネ装置が作用し始め、その結果、作動腕上で、開放方向に能動旋回モーメントがかけられ、蓋がバネ装置の力によって自動的に上方向に動く。
【０００９】
ある実施形態では、駆動装置が、まさに１つのバネ装置を有するように設けられうる。原理的には、駆動装置は、すべて（例えば、リレー走の形態で）第２開放角度範囲で作動される２つ以上のバネ装置を有すると考えられうる。しかし、本発明の態様では、第１の開放角度範囲では、単数または複数のバネ装置が蓋に対して、引いて閉鎖する力をかけない、または、蓋を完全に閉鎖した位置に保持するバネ力を与えないことが望ましい。
【００１０】
本発明のある実施形態では、第２開放角度範囲に隣接して、第３開放角度範囲があり、この中で、バネ装置が蓋を、実質的に均衡を取って保持するように設けることができる。このようにして、蓋は、完全に開放した位置より直前の範囲では任意の開放位置に保持され、これにより、蓋は必ずしも完全に開いた位置に向かって押される必要はない。しかし、蓋がバネ装置により完全に開いた位置に動かされること、および、蓋の最終的な開放移動を減衰させるために減衰装置を設けることも可能である。
【００１１】
本発明のある可能な実施形態では、第１開放角度範囲は、蓋が完全に閉鎖した位置から出発して、０°〜１０°、好ましくは０°〜５°の間で伸張している。第２開放角度範囲は、蓋の開放位置で、約３０°まで、好ましくは約１０°まで有効であることも望ましくありえる。
【００１２】
有用な構成によれば、回転軸の回りで取り付けられ、かつ、上に設定輪郭が形成または配置されている制御カムが、バネ装置と作動腕との間で作動し、ここで、作動腕が旋回移動する間に、押圧ローラーが設定輪郭に接して走行する。これに関連して、蓋が第１開放角度範囲にある際に、押圧ローラーと係合する設定輪郭の湾曲部分が、制御カムの回転軸に対して、相対的に少なくともほぼ同じ放射状の距離を有すると、有用でありえる。このカム部分の放射状の空間をほぼ等しくすることにより、バネ装置が、最後の閉鎖領域において、蓋に対して実質的に力をかけることを避けることができる。押し出し装置の逆の力が、十分より大きく設定されている限りは、バネ装置の部分において少しの閉鎖力を許容することさえも可能である。
【００１３】
とりわけ構造を小型化するためには、バネ装置および押し出し装置が、共通の構造ユニット中に配置されているのが望ましくありえる。バネ装置および駆動装置が、互いに分かれた構造ユニット中に配置されていることも当然可能である。このようにすることにより、既存の作動駆動部を、後で押し出し装置と適合させることも可能である。
【００１４】
押し出し装置は、蓋に直接的または間接的に作用させるように設けることができる。しかし、これに替えて、または、補足的に、押し出し装置を作動腕に作用させることも可能である。望ましい構成では、押し出し装置は、少なくとも１つの好ましくはロック可能な力貯蔵手段を有し、これにより、押し出し部材が、蓋の押し出しのためにおよび／または作動腕の押し出しのために、作用されうるように設けることもできる。
【００１５】
押し出し装置の実装にはいくつかの可能な選択肢がある。これに関して、とりわけ、本出願者の独国実用新案出願公開第２０  ２００６  ０００  ５３５  Ｕ１号中でも説明したような、従来技術で公知の全てのタッチラッチ機能を考慮することができる。力貯蔵手段は、したがって、少なくとも１つの機械的なバネ部材を有することができ、および／または、少なくとも部分的には電気モーターにより形成されうる。ガス圧バネまたはソレノイドの形式での力貯蔵手段を構想することもできる。力貯蔵手段は、開放時または閉鎖時に負荷させることができ、ここで、（閉鎖位置から出発して）蓋を引くことにより、および／または、蓋に手動で圧力をかけることにより、タッチラッチ設備が始動可能である。蓋を圧力をかけることにより始動させる場合には、蓋が、蓋の閉鎖位置に対応する第１終端位置を有し、この蓋が、第１終端位置から出発して、圧力をかけることにより、蓋の閉鎖位置の方向に動くことができ、家具体に近い第２終端位置へと動くことができるのが望ましくありえる。
【００１６】
完全に閉鎖した状態では、蓋が、家具体に対して相対的に十分安定性を持って保持されるように、蓋が閉鎖保持装置により閉鎖位置に保持されることが望ましくありえる。このためには、それ自体公知の構造を設けることができるが、ここでは、閉鎖保持装置は、少なくとも２つの部分を有し、ここで、第１部分は家具体上に配置されていてまたは配置されることができ、第２部分は、蓋上に配置されていてまたは配置されていることができ、ここで、この２つの部分は、蓋の閉鎖状態において、互いに対して磁力をかける。
【００１７】
あるいは、例えば、すでに長期間に渡って引き出し伸張ガイドシステムに関連して知られているように、閉鎖保持装置として引き込み装置を用いることもできる。これに関する一例として、本出願人の欧州特許０３９１２２１Ｂ１号に注意を払われたい。これらの引き込み装置は、通常、少なくとも１つの連結部分を有するが、ここで、家具体と関連付けられた連結部分は、蓋閉鎖移動の終端に向かって、蓋と関連付けられた連行部材に連結されることができ、これに続いて、連結された連行部材（およびこれに伴って蓋）は、力貯蔵装置により完全に閉鎖した位置へと引かれうる。蓋が家具体に強く衝突するのを防ぐために、当然、緩衝器により閉鎖移動が緩衝されうる。
【００１８】
閉鎖保持装置は、原理的には、単純な閉鎖装置の形態を有することができ、これは押し出し装置により再び解放可能である。閉鎖保持装置の全ての変型例において、当然蓋が閉鎖終端位置から信頼性を持って押し出されることができるように、閉鎖保持装置に対向する押し出し装置の力は、十分大きくなければならない。
【００１９】
本発明のさらなる詳細と利点とは、以下に、図面に関する説明に基づいて説明を行う。
【図面の簡単な説明】
【００２０】
【図１】蓋の開放角度範囲を示す概略図である。
【図２ａ】家具品を前方から見た図およびこれに関する拡大詳細透視図である。
【図２ｂ】家具品を前方から見た図およびこれに関する拡大詳細透視図である。
【図３】家具品を後方から見た透視図である。
【図４】家具品を後方から見たさらなる透視図である。
【図５ａ】蓋を動かすための作動駆動部の可能な実施形態を示す図である。
【図５ｂ】蓋を動かすための作動駆動部の可能な実施形態を示す図である。
【発明を実施するための形態】
【００２１】
図１は、家具体１に対して上方向に可動である蓋２の様々な開放角度範囲Ｍ１・Ｍ２・Ｍ３を示す図である。この図において、蓋２は、完全に開放した位置にある。蓋２は、家具体１中にある戸棚室を閉鎖する垂直位置（垂直軸Ｓと見なされる）と、上方向に動いた開放位置（軸Ｏ）との間で可動であるように取り付けられている。（不図示の）押し出し装置は、蓋２を閉鎖位置から押し出すように設けられていて、一方で、（これも不図示の）バネ装置が、開放移動を支援するために、または、少なくとも部分的に支援するために設けられている。蓋２は、完全に閉鎖した位置（垂直軸Ｓ）から出発して、押し出し装置により、第１開放角度範囲Ｍ１に渡って開放位置の方向に動き、ここで、この第１開放角度範囲Ｍ１においては、蓋２には、バネ装置により実質的に力がかけられない。このようにすることにより、蓋２は、閉鎖位置から特に容易に移動させることができる。第１開放角度範囲Ｍ１の終端の方向に向かって、第２開放角度範囲Ｍ２があり、これは、第１開放角度範囲Ｍ１に隣接しているか、せいぜい若干これと重複する。この重複は、記号としては、第２開放角度範囲Ｍ２の破線の延長線で示している。この第２開放角度範囲Ｍ２では、設けられたバネ装置により蓋２に対して能動的な旋回運動が行われ、その結果、押し出し装置の押し出し工程運動に続いて、蓋２は（蓋２に対して手動で支援することなしに）バネ装置により開放位置へと動かされる。第２開放角度範囲（Ｍ２）に続いて設けられているのが、第３開放角度範囲（Ｍ３）で、ここではバネ装置が、蓋２を実質的に均衡が取れた位置へ保持する。この場合、したがって、蓋２は、第３開放角度範囲（Ｍ３）内では、実質的に任意の旋回位置において、引力に逆らい、蓋２は、利用しやすいように、自動的に完全に開放した位置へと押されることはない。
【００２２】
図２ａは、家具品３のある可能な実施形態を示すが、ここで、上方向へ可動である蓋２は、家具体１に対して相対的に変位可能に取り付けられている。図示した図中の蓋２は、２つの蓋部分２ａ・２ｂを有し、ここで、上方蓋部分２ａは家具体１に対して相対的に旋回可能であり、下方蓋部分２ｂは、上方蓋部分２ａに対して相対的に蝶番で回転するように取り付けられている。蓋２は、この図中開放位置にある。蓋２が、図示した位置から出発して閉鎖位置へと動かされると、２つの蓋部分２ａ・２ｂは互いから再び離れ、閉鎖位置で共通の面を形成し、この場合に、家具体１の戸棚室を垂直位置で閉鎖するまで離れる。蓋２を動かすために、まず、作動腕６に作用するバネ装置４を有する作動駆動部８が設けられている。この作動駆動部８は、家具体１の対向して設けられている２つの側壁に取り付けられることが好ましい。図示した図では、右側の作動駆動部８の作動腕６が、蓋２により隠れている。さらに、蓋２を動かすためには、押し出し装置５が設けられていて、これにより、蓋２が完全に閉鎖した位置から出発して、図１で示す第１開放角度範囲Ｍ１に渡って移動可能である。明瞭化を図るために、押し出し装置５を、作動駆動部８とは離れた１つの構造ユニットとして図示しているが、当然押し出し装置５は、作動駆動部８と統合した部分にもなりうる。蓋２が押し出し装置５によって開放位置へととりわけ容易に動かしうるように、完全に閉鎖した位置の直近では、作動駆動部８のバネ装置４が、作動腕６に対して実質的に力をかけない。作動腕６は、一方では、家具体１に対して相対的に水平である軸の周りで取り付けられているが、他方では、下方蓋部分２ｂに関連付けられている装備品７に、これも水平である軸の周りで旋回可能に連結されている。
【００２３】
図２ｂは、図２ａにおいて円で囲んだ部分の拡大図である。筐体５ａと押し出し部材５ｂとを有する押し出し装置５を見て取ることができるが、押し出し部材５ｂは、筐体５ａに対して相対的に可動なように取り付けられている。上述の実施形態のように、押し出し部材５ｂは、筐体５ａに対して相対的に線形で変位可能である。押し出し装置５は、例えばタッチラッチ機能を有し、ここで、ロック可能な力貯蔵手段が筐体５ａ内に配置されている。図示したように、押し出し部材５ｂは、蓋２に作用できるが、変形例として、作動腕６に対しても作用可能である。押し出し装置５は、蓋２に対して圧力をかけることにより、または、蓋２を引くことにより始動させられうる。この種のタッチラッチ装置の機能の詳細に関しては、本発明の文脈中ではこれ以上説明をしないが、これは、この種の装置がすでに従来技術で長期間に渡って知られているからである。
【００２４】
図２ｂでは、蓋２を閉鎖状態に保持するための閉鎖保持装置９の一部分を形成している部分９ａも見て取れる。この閉鎖保持装置９は、蓋を完全に閉鎖状態に固定するために機能するが、これに関しては、後ほどより詳細に説明する。
【００２５】
図３は、家具品３の後方から見た透視図である。家具体１の後壁は、図の明瞭性を高めるために省略されている。バネ装置４を有する作動駆動部８を見て取ることができるが、このバネ装置４により、作動腕６が、蓋２を動かすために作用されうる。押し出し装置５は家具体１に接する位置または家具体中に配置されていて、筐体５ａとこれに対して相対的に可動であり、かつ押し棒の形態を有する押し出し部材５ｂとを有する。押し出し装置５は、閉鎖位置において下方蓋部分２ｂに作用する。
【００２６】
図４も、家具品３を後方からみた透視図である。この図中、閉鎖保持装置９の一部分を見て取れるが、これにより、蓋２が、完全に閉鎖した状態で十分安定性を持って保持されることができる。図示した図では、閉鎖保持装置９は、蓋２の閉鎖位置で押し出し部材５ｂ（図２ｂ）中に配置された部分９ａに磁力で連結される部分９ｂを有する。このようにして、蓋２は、家具体に十分安定性を持って保持されているが、この磁力は、蓋２を開放位置に移動するように、押し出し装置５を始動させることによって克服可能である。
【００２７】
図５ａは、家具体１の少なくとも一方の側壁に固定される作動駆動部８の可能な１実施形態を示す。この作動駆動部８は、筐体１０を有し、この筐体１０は、概略図示したバネ装置４が支持されている第１バネ取り付け部１１ａを有する。さらに、中間レバー１２があり、これが、回転軸Ｒの周りで旋回可能であり、バネ装置４が、中間レバー１２上にある第２バネ取り付け部１１ｂに対して作用する。このバネ取り付け部１１ｂは、調節装置１６により、中間レバー１２の回転軸Ｒに対して相対的に様々な状態に変位させることが可能であり、これにより、バネ装置４の力を、動かされる蓋２の重量に対して選択的に調節可能である。さらに、制御カム１３があり、これは、回転軸Ｌの周りで回転可能に取り付けられていて、この制御カム１３は、設定輪郭１３ａを有し、ここで、中間レバー１２と関連する押圧ローラー１４が、バネ装置４の力により、制御カム１３の設定輪郭１３ａに対して押される。作動腕６（ここでは不図示）が閉鎖のために移動する間、押圧ローラー１４が、制御カム１３の設定輪郭１３ａに沿って動く。回転可能な制御カム１３は、連結部分１５を有し、この上に作動腕６がスナップ止めされうる。
【００２８】
図５ｂは、図５ａの円で囲った領域を拡大した図である。中間レバー１２を見ることができ、この中間レバー１２が回転軸Ｒの周りを旋回し、この中間レバー１２上に、変位可能に取り付けられたバネ取り付け部１１ｂが配置されている。押圧ローラー１４は、回転軸Ｌの周りに取り付けられた制御カム１３の設定輪郭１３ａに対して押圧され、押圧ローラー１４は、制御カム１３の周辺縁（設定輪郭１３ａ）に接して走行する。この図は、第１回転角度範囲Ｍ１を概略図示しているが、ここで、制御カム１３の回転軸Ｌに対する、設定輪郭１３ａの放射状の間隔は、少なくとも、回転角度範囲Ｍ１とほぼ同じである。このようにして、実質的にはいかなる力もバネ装置によって、作動腕６（およびしたがって、蓋２）に対してかけられず、蓋２は、完全に閉鎖した位置から出発して、比較的小さい力をかける押し出し装置５によって、開放位置へと移動可能である。
【００２９】
本発明は、例示した実施形態に限定されるのではなく、添付の請求項の範囲内に入りうる全ての変型例や技術的な等価物を含むまたはこれらに広げられる。明細書中で採用された位置に対する参照（例えば、上方、下方および右など）は、直接説明した例示的な図に関して記載したものであり、位置を変更する際には、新しい位置に適宜移行されるべきである。
【図１】
0005571084.tif 000002
【図２ａ】
0005571084.tif 000003
【図２ｂ】
0005571084.tif 000004
【図３】
0005571084.tif 000005
【図４】
0005571084.tif 000006
【図５ａ】
0005571084.tif 000007
【図５ｂ】
0005571084.tif 000008